(57)【要約】      （修正有）【課題】ショーケース内に配設し、陳列する商品等に対応して効果的な照明を行うＬＥＤ照明器具を提供する。【解決手段】ＬＥＤ照明器具１は、円筒形の下方の内部に円板状の支持面６を備えてなり、各ＬＥＤ発光素子５Ａ，５Ｃ，５Ｅは該支持面６の下面上に配列し、支持して構成される。さらに支持面６の下方には散光板７が嵌着され、散光板７は透明なプラスチック材により形成される。散光板７は各ＬＥＤ発光素子５Ａ，５Ｃ，５Ｅから発光される光を下方に向けて拡散させるため、凹レンズ状の散光部７Ａを各ＬＥＤ発光素子５Ａ，５Ｃ，５Ｅに対応して備えるようにしてなる。【選択図】図１
0003169001.tif 000002
【実用新案登録請求の範囲】
【請求項１】
複数個のＬＥＤ発光素子を支持面上に配列し、支持して構成し、各ＬＥＤ発光素子から発光される光を所定の方向に向けて拡散させ、かつ各ＬＥＤ発光素子から発光される光を混色させて所定の発光領域の照明を行うＬＥＤ照明器具であって、
支持面上に配列し、支持する複数個のＬＥＤ発光素子のうち、中心に青，赤，緑，黄のうちいずれかの発光色を所定の発光領域に対して発光する混色ＬＥＤ発光素子を支持し、該混色ＬＥＤ発光素子の周囲の支持面に混色ＬＥＤ発光素子の支持部に対し、同心円状に、相互に等間隔をもつて２，０００ケルビンないし６，０００ケルビンの範囲の白色の発光色を所定の発光領域に対して発光する白色ＬＥＤ発光素子を３ないし９個の範囲で支持して構成することを特徴とするＬＥＤ照明器具。
【請求項２】
白色ＬＥＤ発光素子を、混色ＬＥＤ発光素子を中心に、その周囲に４個あるいは６個配列し、支持して構成することとした請求項１に記載のＬＥＤ照明器具。
【考案の詳細な説明】
【技術分野】
【０００１】
本考案は、複数個のＬＥＤ発光素子を配列し、支持して構成するＬＥＤ照明器具に関する。
【背景技術】
【０００２】
最近照明器具は、従来の白熱電球に代わって複数個のＬＥＤ発光素子を配列し、支持して構成するＬＥＤ電球と呼ばれるＬＥＤ照明器具が数多く製造販売されている。ＬＥＤ照明器具は、従来の白熱電球に比べて同じ明るさで単位時間当たりの使用電力が５分の１ないし８分の１程度に抑えられるため、各社から様々なタイプのものが提案されている。例えば下記特許文献１に示すＬＥＤ照明器具は、緑、青、赤の各色を発光する複数個のＬＥＤ発光素子を配列し、支持して構成され、各ＬＥＤ発光素子から発光される光を所定の方向に向けて拡散させ、かつ各ＬＥＤ発光素子から発光される光を混色させて白色の光を所定の発光領域の照明を行うようにしていた。
【先行技術文献】
【特許文献】
【０００３】
【特許文献１】特開２００７−８０５２９号公報
【０００４】
ところで、従来コンビニエンスストアやスーパーマーケットなどに設置される食品販売用の冷蔵ショーケースにおいては、内部に陳列する商品別に使用する照明器具の発光波長を変化させ、食品の見た目の鮮やかさを演出する試みがなされていた。例えばショーケース内に陳列する食品が精肉の場合、肉の鮮度を強調するため赤みがかった照明光を発光するハロゲンランプを内部に配設していた。またショーケース内に陳列する食品が鮮魚の場合、鮮魚の鮮度を強調するため青みがかった照明光を発光するハロゲンランプを内部に配設していた。またショーケース内に陳列する食品が野菜の場合、野菜の鮮度を強調するため緑がかった照明光を発光するハロゲンランプを内部に配設していた。さらにショーケース内に陳列する食品がパンの場合、パンの持つ暖かみを強調するため黄色がかった照明光を発光するハロゲンランプを内部に配設していた。
【考案の概要】
【考案が解決しようとする課題】
【０００５】
ところで、本実用新案の考案者らにおいては、ハロゲンランプに代表される従来のショーケース内に陳列する食品別の照明器具に代わって、ＬＥＤ照明器具においても陳列する食品別にこうした個別の光を発光できる製品の開発を行ってきたところである。しかしながら、中々思ったような目的色の発光ができなかったところである。本実用新案の考案者らにおいては、こうした中で複数個のＬＥＤ発光素子を効果的に配列・支持し、目的色を発光可能とするＬＥＤ照明器具の開発に成功したところである。
【０００６】
本考案は、例えばショーケース内に配設し、陳列する商品等に対応して効果的な照明を行うＬＥＤ照明器具を提供することを目的とするものである。
【課題を解決するための手段】
【０００７】
上述のような本考案の目的を達成するために、本願の請求項１に記載の考案は、    複数個のＬＥＤ発光素子を支持面上に配列し、支持して構成し、各ＬＥＤ発光素子から発光される光を所定の方向に向けて拡散させ、かつ各ＬＥＤ発光素子から発光される光を混色させて所定の発光領域の照明を行うＬＥＤ照明器具であって、支持面上に配列し、支持する複数個のＬＥＤ発光素子のうち、中心に青，赤，緑，黄のうちいずれかの発光色を所定の発光領域に対して発光する混色ＬＥＤ発光素子を支持し、該混色ＬＥＤ発光素子の周囲の支持面に混色ＬＥＤ発光素子の支持部に対し、同心円状に、相互に等間隔をもつて色温度が２，０００ケルビンないし６，０００ケルビンの範囲の白色の発光色を所定の発光領域に対して発光する白色ＬＥＤ発光素子を３ないし９個の範囲で支持して構成することを特徴とするＬＥＤ照明器具としたものである。
【０００８】
また、本願の請求項２に記載の考案は、請求項１に記載の考案に加えて、白色ＬＥＤ発光素子を、混色ＬＥＤ発光素子を中心に、その周囲に４個あるいは６個配列し、支持して構成することとしたＬＥＤ照明器具としたものである。
【考案の効果】
【０００９】
本考案に係るＬＥＤ照明器具によれば、支持面上に配列し、支持する複数個のＬＥＤ発光素子のうち、中心に青，赤，緑，黄のうちいずれかの発光色を所定の発光領域に対して発光する混色ＬＥＤ発光素子を支持し、該混色ＬＥＤ発光素子の周囲の支持面に混色ＬＥＤ発光素子の支持部に対し、同心円状に、相互に等間隔をもつて色温度が２，０００ケルビンないし６，０００ケルビンの範囲の白色の発光色を所定の発光領域に対して発光する白色ＬＥＤ発光素子を３ないし９個の範囲で支持して構成するようにしたため、中心に支持され、所定の発光領域に対して発光する混色ＬＥＤ発光素子の発光色と白色ＬＥＤ発光素子から発光される発光色とが混色し、混色ＬＥＤ発光素子の発光色に応じた照明光を所定の発光領域に対して発光するＬＥＤ照明器具の提供が可能となる。この結果、例えばショーケース内に配設し、陳列する商品等に対応し、青，赤，緑，黄のうちのいずれかの混色ＬＥＤ発光素子の発光色に応じた効果的な照明を行うことができるという効果がある。
【図面の簡単な説明】
【００１０】
【図１】本考案の実施形態に係るＬＥＤ照明器具に係り、図３のＩ−Ｉ線に沿う断面図である。
【図２】ＬＥＤ照明器具の全体を示す正面図である。
【図３】ＬＥＤ照明器具の底面図である。
【図４】ＬＥＤ照明器具における各ＬＥＤ発光素子の配列パターンを示す底面図である。
【図５】ＬＥＤ照明器具の変形例を示す正面図である。
【図６】図５に示すＬＥＤ照明器具の底面図である。
【図７】図５に示すＬＥＤ照明器具における各ＬＥＤ発光素子の配列パターンを示す底面図である。
【考案を実施するための形態】
【００１１】
図２示す本考案の実施形態に係るＬＥＤ照明器具１は、従来一般に販売されていた白熱電球と同様な電球状のものとされ、正面より観た上方頂部にはソケットに装着するための口金部２が備えられる。ＬＥＤ照明器具１の下方部分は円筒形状とされ、その周部には多数枚の放熱フィン３が備えられる。このＬＥＤ照明器具１は、図３に示す底面部分において発光部を備えてなり、図１に示すように下方に向け、光を拡散して発光するＬＥＤ発光素子５Ａ，５Ｂ，５Ｃ，５Ｄ，５Ｅを備えてなる。
【００１２】
底面において、５個のＬＥＤ発光素子５Ａ，５Ｂ，５Ｃ，５Ｄ，５Ｅを備えて構成されるＬＥＤ照明器具１は、図１に示すように円筒形の下方の内部に円板状の支持面６を備えてなり、各ＬＥＤ発光素子５Ａ，５Ｂ，５Ｃ，５Ｄ，５Ｅは該支持面６の下面上に配列し、支持して構成される。さらに支持面６の下方には散光板７が嵌着され、散光板７は透明なプラスチック材により形成される。散光板７は各ＬＥＤ発光素子５Ａ，５Ｂ，５Ｃ，５Ｄ，５Ｅから発光される光を下方に向けて拡散させるため、凹レンズ状の散光部７Ａを各ＬＥＤ発光素子５Ａ，５Ｂ，５Ｃ，５Ｄ，５Ｅに対応して備えるようにしてなる（図１参照）。
【００１３】
支持面６上に配列し、支持する複数個のＬＥＤ発光素子５Ａ，５Ｂ，５Ｃ，５Ｄ，５Ｅのうち、中心に支持されるＬＥＤ発光素子５Ａは、青，赤，緑，黄のうちのいずれかの発光色を下方の発光領域に対して発光する混色ＬＥＤ発光素子とされる。一方、該混色ＬＥＤ発光素子５Ａの周囲の支持面６において、混色ＬＥＤ発光素子５Ａの支持部に対し、同心円状に、相互に等間隔をもって配列・支持される各ＬＥＤ発光素子５Ｂ，５Ｃ，５Ｄ，５Ｅは、色温度が２，０００ケルビンないし６，０００ケルビンの範囲の白色の発光色を下方の発光領域に対して発光するものとされる。しかもＬＥＤ照明器具１は、入力電圧１００Ｖ，消費電力８Ｗ，入力電流０．０８ｍＡで設定され、５つのＬＥＤ発光素子５Ａ，５Ｂ，５Ｃ，５Ｄ，５Ｅの発光において、その消費電力は大変低く、また長寿命とされる。
【００１４】
色温度が２，０００ケルビンないし６，０００ケルビンの範囲の白色の発光色を下方の発光領域に対して発光する白色ＬＥＤ発光素子５Ｂ，５Ｃ，５Ｄ，５Ｅに対し、その中心に配列される混色ＬＥＤ発光素子５Ａは、図４（Ａ）では色温度が５，０００ケルビン程度の青色の発光色を下方の発光領域に対して発光するものとされ、他の４個の白色ＬＥＤ発光素子５Ｂ，５Ｃ，５Ｄ，５Ｅから発光される光と下方の発光領域において混色されるものとされる。また図４（Ｂ）の混色ＬＥＤ発光素子５Ａでは、色温度が２，１２６ケルビン程度の赤色の発光色を下方の発光領域に対して発光するものとされ、他の４個の白色ＬＥＤ発光素子５Ｂ，５Ｃ，５Ｄ，５Ｅから発光される光と下方の発光領域において混色されるものとされる。また図４（Ｃ）の混色ＬＥＤ発光素子５Ａでは、色温度が３，６６３ケルビン程度の緑色の発光色を下方の発光領域に対して発光するものとされ、他の４個の白色ＬＥＤ発光素子５Ｂ，５Ｃ，５Ｄ，５Ｅから発光される光と下方の発光領域において混色されるものとされる。また図４（Ｄ）の混色ＬＥＤ発光素子５Ａでは、色温度が２，１３５ケルビン程度の黄色の発光色を下方の発光領域に対して発光するものとされ、他の４個の白色ＬＥＤ発光素子５Ｂ，５Ｃ，５Ｄ，５Ｅから発光される光と下方の発光領域において混色されるものとされる。
【００１５】
このように図４（Ａ）のＬＥＤ照明器具１では、混色状態で全体青色の発光色を下方の発光領域に対して発光することが可能となり、例えばショーケース内に配設する照明として、陳列する食品が例えば鮮魚の場合、鮮魚の鮮度を強調するため青みがかった照明光として利用することが最適とされる。図４（Ｂ）のＬＥＤ照明器具１では、混色状態で全体赤色の発光色を下方の発光領域に対して発光することが可能となり、例えばショーケース内に配設する照明として、陳列する食品が例えば精肉の場合、肉の鮮度を強調するため赤みがかった照明光として利用することが最適とされる。図４（Ｃ）のＬＥＤ照明器具１では、混色状態で全体緑色の発光色を下方の発光領域に対して発光することが可能となり、例えばショーケース内に配設する照明として、陳列する食品が例えば食品が野菜の場合、野菜の鮮度を強調するため緑がかった照明光として利用することが最適とされる。図４（Ｄ）のＬＥＤ照明器具１では、混色状態で全体黄色の発光色を下方の発光領域に対して発光することが可能となり、例えばショーケース内に配設する照明として、陳列する食品が例えば食品がパンの場合、パンの持つ暖かみを強調するため黄色がかった照明光として利用することが最適とされる。
【００１６】
すなわち、こうした構成からなる各ＬＥＤ照明器具１（図４（Ａ）〜（Ｄ）の各照明器具）では、中心に支持する混色ＬＥＤ発光素子５Ａにより、他の白色ＬＥＤ発光素子５Ｂ，５Ｃ，５Ｄ，５Ｅから発光される光とを効率よく混色させ、照明したい目的色を生成することが可能となる。この結果、例えばショーケース内に配設し、陳列する商品等に対応し、青，赤，緑，黄のうちのいずれかの混色ＬＥＤ発光素子５Ａの発光色に応じた効果的な照明を行うことができるという効果がある。しかも、こうした構成からなる各ＬＥＤ照明器具１（図４（Ａ）〜（Ｄ）の各照明器具）では、従来の白熱電球やハロゲンランプに比較して発熱量が低く抑えられ、照明したい商品が例えば冷蔵食品や生鮮食品の場合、商品に対する影響を極力少なくすることが可能となる。加えて従来の白熱電球やハロゲンランプに比較して消費電力も低く抑えることが可能となる。
【００１７】
図５ないし図７は、上記実施形態の変形例に係るＬＥＤ照明器具１１を示す。この変形例では、上記実施形態と同様に支持面６上に配列し、支持する状態で、底面において７個のＬＥＤ発光素子５Ａ，５Ｂ，５Ｃ，５Ｄ，５Ｅ，５Ｆ，５Ｇを備えて構成される。すなわち、支持面６上に配列し、支持する複数個のＬＥＤ発光素子５Ａ，５Ｂ，５Ｃ，５Ｄ，５Ｅ，５Ｆ，５Ｇのうち、中心に支持されるＬＥＤ発光素子５Ａは、青，赤，緑，黄のうちのいずれかの発光色を下方の発光領域に対して発光する混色ＬＥＤ発光素子とされる。一方、該混色ＬＥＤ発光素子５Ａの周囲の支持面６において、混色ＬＥＤ発光素子５Ａの支持部に対し、同心円状に、相互に等間隔をもって配列・支持される各ＬＥＤ発光素子５Ｂ，５Ｃ，５Ｄ，５Ｅ，５Ｆ，５Ｇは、色温度が２，０００ケルビンないし６，０００ケルビンの範囲の白色の発光色を下方の発光領域に対して発光するものとされる。しかもＬＥＤ照明器具１１は、入力電圧１００Ｖ，消費電力１０Ｗ，入力電流０．１ｍＡで設定され、７つのＬＥＤ発光素子５Ａ，５Ｂ，５Ｃ，５Ｄ，５Ｅ，５Ｆ，５Ｇの発光において、その消費電力は大変低く、また長寿命とされる。
【００１８】
色温度が２，０００ケルビンないし６，０００ケルビンの範囲の白色の発光色を下方の発光領域に対して発光する白色ＬＥＤ発光素子５Ｂ，５Ｃ，５Ｄ，５Ｅ，５Ｆ，５Ｇに対し、その中心に配列される混色ＬＥＤ発光素子５Ａは、図７（Ａ）では色温度が５，０００ケルビン程度の青色の発光色を下方の発光領域に対して発光するものとされ、他の６個の白色ＬＥＤ発光素子５Ｂ，５Ｃ，５Ｄ，５Ｅ，５Ｆ，５Ｇから発光される光と下方の発光領域において混色されるものとされる。また図７（Ｂ）の混色ＬＥＤ発光素子５Ａでは、色温度が２，１２６ケルビン程度の赤色の発光色を下方の発光領域に対して発光するものとされ、他の６個の白色ＬＥＤ発光素子５Ｂ，５Ｃ，５Ｄ，５Ｅ，５Ｆ，５Ｇから発光される光と下方の発光領域において混色されるものとされる。また図７（Ｃ）の混色ＬＥＤ発光素子５Ａでは、色温度が３，６６３ケルビン程度の緑色の発光色を下方の発光領域に対して発光するものとされ、他の６個の白色ＬＥＤ発光素子５Ｂ，５Ｃ，５Ｄ，５Ｅ，５Ｆ，５Ｇから発光される光と下方の発光領域において混色されるものとされる。また図７（Ｄ）の混色ＬＥＤ発光素子５Ａでは、色温度が２，１３５ケルビン程度の黄色の発光色を下方の発光領域に対して発光するものとされ、他の６個の白色ＬＥＤ発光素子５Ｂ，５Ｃ，５Ｄ，５Ｅ，５Ｆ，５Ｇから発光される光と下方の発光領域において混色されるものとされる。
【００１９】
上記実施形態では、混色ＬＥＤ発光素子５Ａの周囲の支持面６において、混色ＬＥＤ発光素子５Ａの支持部に対し、同心円状に、相互に等間隔をもって４つの白色ＬＥＤ発光素子５Ｂ，５Ｃ，５Ｄ，５Ｅを配列・支持するものとし、また上記変形例では混色ＬＥＤ発光素子５Ａの周囲の支持面６において、混色ＬＥＤ発光素子５Ａの支持部に対し、同心円状に、相互に等間隔をもって６つの白色ＬＥＤ発光素子５Ｂ，５Ｃ，５Ｄ，５Ｅ，５Ｆ，５Ｇを配列・支持するものとしているが、混色ＬＥＤ発光素子５Ａに対し、その周囲に配列する白色ＬＥＤ発光素子については４個あるいは６個に限定されず、例えば３ないし９個の範囲で自由にその配列個数を変更することが可能となる。
【産業上の利用可能性】
【００２０】
以上のように、本考案は、例えばショーケース内に配設し、肉、野菜、魚など陳列する商品等に対応して効果的な照明を少ない消費電力で行うことができ、しかも照明にともなう発熱も少ないため、特に照明する商品が食品の場合、発熱により及ぼす影響を極力低下させることが可能となる。
【符号の説明】
【００２１】
１，１１                                  ＬＥＤ照明器具
２                                        口金部
３                                        放熱フィン
５Ａ，５Ｂ，５Ｃ，５Ｄ，５Ｅ，５Ｆ，５Ｇ  ＬＥＤ発光素子
６                                        支持面
７                                        散光板
７Ａ                                      散光部
【図１】
0003169001.tif 000003
【図２】
0003169001.tif 000004
【図３】
0003169001.tif 000005
【図４】
0003169001.tif 000006
【図５】
0003169001.tif 000007
【図６】
0003169001.tif 000008
【図７】
0003169001.tif 000009